(57)【要約】【課題】捨水切板部材と上部カバーとを板金性の一体物とすることなく止水性を高めるとともに野地開口部の上方空間を確保できる屋根面換気ユニットを提供すること。【解決手段】天面部材１０が、止水箱２０及び野地開口部４１を覆う上面板材１２と、上面板材１２の前端から下方へ延出させた前面板材１３と、上面板材１２の後端から後方へ延出させた後面板材１４と、上面板材１２の両側端下方を覆う側面板材１５とを有し、後面板材１４が、上面板材１２の後端から垂下させた第１後面板材１４ａと、第１後面板材１４ａの下端から後方へ延出させた第２後面板材１４ｂと、第２後面板材１４ｂから更に後方へ延出させた第３後面板材１４ｃと、第２後面板材１４ｂと第３後面板材１４ｃとを繋ぐ後面接続板材１４ｄとを有し、第２後面板材１４ｂを第１後面板材１４ａに対して鋭角に形成し、第３後面板材１４ｃを第１後面板材１４ａに対して垂直に形成した。【選択図】        図１
2019073950.tif 000002
【特許請求の範囲】
【請求項１】
建造物の屋根面に配置される天面部材と、
前記天面部材の下面に取り付ける止水箱と
を有し、
前記天面部材には、切り起こしにより天面板用開口部を形成し、
前記止水箱を、少なくとも前記天面板用開口部の下方に配置し、
前記建造物の野地板に設けた野地開口部を前記天面部材で覆い、
前記天面板用開口部と前記野地開口部との間に換気路を形成する
屋根面換気ユニットであって、
前記天面部材が、
前記止水箱及び前記野地開口部を覆う上面板材と、
前記上面板材の前端から下方へ延出させた前面板材と、
前記上面板材の後端から後方へ延出させた後面板材と、
前記上面板材の両側端下方を覆う側面板材と
を有し、
前記後面板材が、
前記上面板材の前記後端から垂下させた第１後面板材と、
前記第１後面板材の下端から後方へ延出させた第２後面板材と、
前記第２後面板材から更に後方へ延出させた第３後面板材と、
前記第２後面板材と前記第３後面板材とを繋ぐ後面接続板材と
を有し、
前記第２後面板材を前記第１後面板材に対して鋭角に形成し、
前記第３後面板材を前記第１後面板材に対して垂直に形成した
ことを特徴とする屋根面換気ユニット。
【請求項２】
建造物の屋根面に配置される天面部材と、
前記天面部材の下面に取り付ける止水箱と
を有し、
前記天面部材には、切り起こしにより天面板用開口部を形成し、
前記止水箱を、少なくとも前記天面板用開口部の下方に配置し、
前記建造物の野地板に設けた野地開口部を前記天面部材で覆い、
前記天面板用開口部と前記野地開口部との間に換気路を形成し、
前記天面部材が、
前記止水箱及び前記野地開口部を覆う上面板材と、
前記上面板材の前端から下方へ延出させた前面板材と、
前記上面板材の後端から後方へ延出させた後面板材と、
前記上面板材の両側端下方を覆う側面板材と
を有し、
前記後面板材が、
前記上面板材の前記後端から垂下させた第１後面板材と、
前記第１後面板材の下端から後方へ延出させた第２後面板材と、
前記第２後面板材から更に後方へ延出させた第３後面板材と、
前記第２後面板材と前記第３後面板材とを繋ぐ後面接続板材と
を有し、
前記野地板の上面には化粧スレートが敷設され、
前記野地開口部に対して捨水切を設け、
前記捨水切が、
前記野地板の前記上面に配置される捨水切取付板と、
前記捨水切取付板の端部から立ち上げた捨水切立ち上げ板と
を有する
屋根面換気ユニットの施工方法であって、
前記捨水切取付板を前記野地板と第１の前記化粧スレートとの間に配置することで、前記野地開口部の棟側に配置する前記捨水切を取り付ける捨水切取付工程と、
前記第３後面板材を第１の前記化粧スレート上に当接させて前記屋根面換気ユニットを前記屋根面に載置するユニット載置工程と、
前記第３後面板材上に第２の前記化粧スレートを当接させて第２の前記化粧スレートを第１の前記化粧スレート上に載置する第２化粧スレート載置工程と、
第３の前記化粧スレートの前端を前記第１後面板材に当接させ、第３の前記化粧スレートの前記前端と前記第２後面板材との間に空間を形成して第３の前記化粧スレートを第２の前記化粧スレート上に載置する第３化粧スレート載置工程と
を有する
ことを特徴とする屋根面換気ユニットの施工方法。
【発明の詳細な説明】
【技術分野】
【０００１】
本発明は、建造物の屋根面に配置される屋根面換気ユニット及び屋根面換気ユニットの施工方法に関する。
【背景技術】
【０００２】
特許文献１は、屋根の野地板に設けた開口部のまわりに換気路本体等を設置し、換気路本体の外周部を取り囲む捨水切板部材と、換気路本体の上部を覆う上部カバーとを、板金性の一体物とすることで、部品点数の少数化が図られ、施工が容易になり、且つ低コスト化が可能になる換気ユニットを提案している。
【先行技術文献】
【特許文献】
【０００３】
【特許文献１】特開２０００−２５７２２８号公報
【発明の概要】
【発明が解決しようとする課題】
【０００４】
しかし、特許文献１による上部カバーは、捨水切板部材の軒側端部から屈曲して軒側に向けて野地板から徐々に離間するように傾斜した傾斜部分と、この傾斜部分の軒側端部から屈曲して野地板と平行に軒側に延設された平坦部分とからなり、傾斜部分に捨水切枠部材を配置している。
従って、特許文献１では、捨水切枠部材の上部空間が傾斜部分によって狭くなっているため換気性能を低下させてしまう。
【０００５】
そこで本発明は、捨水切板部材と上部カバーとを板金性の一体物とすることなく止水性を高めるとともに野地開口部の上方空間を確保できる屋根面換気ユニットを提供することを目的とする。
また本発明は、捨水切板部材と上部カバーとを板金性の一体物とすることなく止水性を高めるとともに屋根面換気ユニットと屋根面との一体感が高まり美観に優れる屋根面換気ユニットの施工方法を提供することを目的とする。
【課題を解決するための手段】
【０００６】
請求項１記載の本発明の屋根面換気ユニットは、建造物の屋根面に配置される天面部材１０と、前記天面部材１０の下面に取り付ける止水箱２０とを有し、前記天面部材１０には、切り起こしにより天面板用開口部１１を形成し、前記止水箱２０を、少なくとも前記天面板用開口部１１の下方に配置し、前記建造物の野地板４０に設けた野地開口部４１を前記天面部材１０で覆い、前記天面板用開口部１１と前記野地開口部４１との間に換気路を形成する屋根面換気ユニットであって、前記天面部材１０が、前記止水箱２０及び前記野地開口部４１を覆う上面板材１２と、前記上面板材１２の前端から下方へ延出させた前面板材１３と、前記上面板材１２の後端から後方へ延出させた後面板材１４と、前記上面板材１２の両側端下方を覆う側面板材１５とを有し、前記後面板材１４が、前記上面板材１２の前記後端から垂下させた第１後面板材１４ａと、前記第１後面板材１４ａの下端から後方へ延出させた第２後面板材１４ｂと、前記第２後面板材１４ｂから更に後方へ延出させた第３後面板材１４ｃと、前記第２後面板材１４ｂと前記第３後面板材１４ｃとを繋ぐ後面接続板材１４ｄとを有し、前記第２後面板材１４ｂを前記第１後面板材１４ａに対して鋭角に形成し、前記第３後面板材１４ｃを前記第１後面板材１４ａに対して垂直に形成したことを特徴とする。
請求項２記載の本発明の屋根面換気ユニットの施工方法は、建造物の屋根面に配置される天面部材１０と、前記天面部材１０の下面に取り付ける止水箱２０とを有し、前記天面部材１０には、切り起こしにより天面板用開口部１１を形成し、前記止水箱２０を、少なくとも前記天面板用開口部１１の下方に配置し、前記建造物の野地板４０に設けた野地開口部４１を前記天面部材１０で覆い、前記天面板用開口部１１と前記野地開口部４１との間に換気路を形成し、前記天面部材１０が、前記止水箱２０及び前記野地開口部４１を覆う上面板材１２と、前記上面板材１２の前端から下方へ延出させた前面板材１３と、前記上面板材１２の後端から後方へ延出させた後面板材１４と、前記上面板材１２の両側端下方を覆う側面板材１５とを有し、前記後面板材１４が、前記上面板材１２の前記後端から垂下させた第１後面板材１４ａと、前記第１後面板材１４ａの下端から後方へ延出させた第２後面板材１４ｂと、前記第２後面板材１４ｂから更に後方へ延出させた第３後面板材１４ｃと、前記第２後面板材１４ｂと前記第３後面板材１４ｃとを繋ぐ後面接続板材１４ｄとを有し、前記野地板４０の上面には化粧スレート５０が敷設され、前記野地開口部４１に対して捨水切６０を設け、前記捨水切６０が、前記野地板４０の前記上面に配置される捨水切取付板６１と、前記捨水切取付板６１の端部から立ち上げた捨水切立ち上げ板６２とを有する屋根面換気ユニットの施工方法であって、前記捨水切取付板６１を前記野地板４０と第１の前記化粧スレート５１との間に配置することで、前記野地開口部４１の棟側に配置する前記捨水切６０を取り付ける捨水切取付工程と、前記第３後面板材１４ｃを第１の前記化粧スレート５１上に当接させて前記屋根面換気ユニットを前記屋根面に載置するユニット載置工程と、前記第３後面板材１４ｃ上に第２の前記化粧スレート５２を当接させて第２の前記化粧スレート５２を第１の前記化粧スレート５１上に載置する第２化粧スレート載置工程と、第３の前記化粧スレート５３の前端を前記第１後面板材１４ａに当接させ、第３の前記化粧スレート５３の前記前端と前記第２後面板材１４ｂとの間に空間を形成して第３の前記化粧スレート５３を第２の前記化粧スレート５２上に載置する第３化粧スレート載置工程とを有することを特徴とする。
【発明の効果】
【０００７】
本発明の屋根面換気ユニットによれば、化粧スレートの前端を第１後面板材に当接させることで、化粧スレートの前端と第２後面板材との間に空間を形成するため、化粧スレート前端から侵入する雨水は、化粧スレートの下面に沿って上昇することなく、第１後面板材の下端に落下し、第２後面板材に沿って側方へ流れるため止水性に優れ、また野地開口部の上方空間を確保できるため換気性能が向上する。
また本発明の屋根面換気ユニットの施工方法によれば、化粧スレートの前端を第１後面板材に当接させることで、化粧スレートの前端と第２後面板材との間に空間を形成するため、化粧スレート前端から侵入する雨水は、化粧スレートの下面に沿って上昇することなく、第１後面板材の下端に落下し、第２後面板材に沿って側方へ流れるため止水性に優れ、また第３の化粧スレートによって上面板材と化粧スレートとの段差が小さくなり、屋根面換気ユニットと屋根面との一体感が高まり美観に優れる。
【図面の簡単な説明】
【０００８】
【図１】本発明の一実施例による屋根面換気ユニットの斜視図
【図２】本実施例による屋根面換気ユニットの断面図及び側面図
【図３】本実施例による屋根面換気ユニットの設置状態を示す断面図
【図４】本実施例による屋根面換気ユニットの施工工程を示す写真
【発明を実施するための形態】
【０００９】
本発明の第１の実施の形態による屋根面換気ユニットは、天面部材が、止水箱及び野地開口部を覆う上面板材と、上面板材の前端から下方へ延出させた前面板材と、上面板材の後端から後方へ延出させた後面板材と、上面板材の両側端下方を覆う側面板材とを有し、後面板材が、上面板材の後端から垂下させた第１後面板材と、第１後面板材の下端から後方へ延出させた第２後面板材と、第２後面板材から更に後方へ延出させた第３後面板材と、第２後面板材と第３後面板材とを繋ぐ後面接続板材とを有し、第２後面板材を第１後面板材に対して鋭角に形成し、第３後面板材を第１後面板材に対して垂直に形成したものである。本実施の形態によれば、化粧スレートの前端を第１後面板材に当接させることで、化粧スレートの前端と第２後面板材との間に空間を形成するため、化粧スレート前端から侵入する雨水は、化粧スレートの下面に沿って上昇することなく、第１後面板材の下端に落下し、第２後面板材に沿って側方へ流れるため、止水性に優れている。また本実施の形態によれば、野地開口部の上方空間を確保できるため換気性能が向上する。
【００１０】
本発明の第２の実施の形態による屋根面換気ユニットの施工方法は、捨水切取付板を野地板と第１の化粧スレートとの間に配置することで、野地開口部の棟側に配置する捨水切を取り付ける捨水切取付工程と、第３後面板材を第１の化粧スレート上に当接させて屋根面換気ユニットを屋根面に載置するユニット載置工程と、第３後面板材上に第２の化粧スレートを当接させて第２の化粧スレートを第１の化粧スレート上に載置する第２化粧スレート載置工程と、第３の化粧スレートの前端を第１後面板材に当接させ、第３の化粧スレートの前端と第２後面板材との間に空間を形成して第３の化粧スレートを第２の化粧スレート上に載置する第３化粧スレート載置工程とを有するものである。本実施の形態によれば、第３の化粧スレートの前端と第２後面板材との間に空間を形成するため、第３の化粧スレート前端から侵入する雨水は、第３の化粧スレートの下面に沿って上昇することなく、第１後面板材の下端に落下し、第２後面板材に沿って側方へ流れるため、止水性に優れている。また本実施の形態によれば、第３の化粧スレートによって上面板材と化粧スレートとの段差が小さくなり、屋根面換気ユニットと屋根面との一体感が高まり美観に優れる。
【実施例】
【００１１】
以下本発明の一実施例による屋根面換気ユニットについて説明する。
図１は本実施例による屋根面換気ユニットの斜視図であり、図１（ａ）は同ユニットの斜視図、図１（ｂ）は同ユニットから側面板材を取り外した状態の斜視図、図１（ｃ）は天面板材を連結した状態の斜視図である。
本実施例による屋根面換気ユニットは、建造物の屋根面に配置される天面部材１０と、天面部材１０の下面に取り付ける止水箱２０とを有している。
天面部材１０には、切り起こしにより天面板用開口部１１を形成している。天面板用開口部１１は、下向きランスによる切り起こしが好ましいが、ブリッジによる切り起こしでもよい。
図１（ｂ）に示すように、止水箱２０は、少なくとも天面板用開口部１１の下方に配置する。
天面部材１０は、止水箱２０及び野地開口部４１（図３参照）を覆う上面板材１２と、上面板材１２の前端から下方へ延出させた前面板材１３と、上面板材１２の後端から後方へ延出させた後面板材１４と、上面板材１２の両側端下方を覆う側面板材１５とを有している。
上面板材１２、前面板材１３、及び後面板材１４は、一枚の板材を折り曲げて形成されている。
側面板材１５は、化粧スレート５０（図３参照）上に当接させる接地面板１５ａと、接地面板１５ａから立ち上げられて天面部材１０の側面を覆う側面板材本体１５ｂと、側面板材本体１５ｂの上端から延出させて上面板材１２の内面に当接させる上面取付板１５ｃと、側面板材本体１５ｂの前端から延出させて前面板材１３の内面に当接させる前面取付板１５ｄと、側面板材本体１５ｂの後端から延出させて後面板材１４の内面に当接させる後面取付板１５ｅとを有している。
このように、側面板材１５を、上面板材１２、前面板材１３、及び後面板材１４とは別部材で構成し、上面板材１２、前面板材１３、及び後面板材１４に対して着脱可能とすることで、図１（ｃ）に示すように、換気能力に応じて天面部材１０を連接することができる。
【００１２】
図２（ａ）は図１（ａ）のＡ−Ａ線断面図、図２（ｂ）は同屋根面換気ユニットの側面図である。
後面板材１４、上面板材１２の後端から垂下させた第１後面板材１４ａと、第１後面板材１４ａの下端から後方へ延出させた第２後面板材１４ｂと、第２後面板材１４ｂから更に後方へ延出させた第３後面板材１４ｃと、第２後面板材１４ｂと第３後面板材１４ｃとを繋ぐ後面接続板材１４ｄとを有している。
第１後面板材１４ａに対する第２後面板材１４ｂの傾斜角をα、第１後面板材１４ａに対する第３後面板材１４ｃの傾斜角をβとすると、α＜βとすることが好ましく、第１後面板材１４ａが上面板材１２に対して垂直である場合には、α＜９０度、β＝９０度とする。すなわち、第２後面板材１４ｂは第１後面板材１４ａに対して鋭角に形成し、第３後面板材１４ｃを第１後面板材１４ａに対して垂直に形成する。
止水箱２０は、天面板用開口部１１の下方に配置される止水底面板材２１と、止水底面板材２１の一端に立設される止水前面板材２２と、止水底面板材２１の他端に立設される止水後面板材２３と、止水前面板材２２の端部と止水後面板材２３の端部とを連接する止水側面板材２４とで構成している。
止水前面板材２２には、天面板用開口部１１から進入して止水底面板材２１に溜まった雨水を流出させる通水孔（図示せず）を形成している。止水後面板材２３には、止水箱用開口部２３ｘを形成している。
【００１３】
図３は本実施例による屋根面換気ユニットの設置状態を示す断面図である。
建造物は、垂木３０の上部に野地板４０が斜め下方に傾斜して設けられ、野地板４０の上面に化粧スレート５０が敷設される。
野地板４０に野地開口部４１を設け、屋根面換気ユニットは、固定ビス１６によって建造物に固定される。
野地開口部４１は天面部材１０で覆われ、天面板用開口部１１と野地開口部４１との間には換気路が形成される。
野地開口部４１に対して捨水切６０を設けている。捨水切６０は、野地開口部４１の全周に設けることが好ましく、少なくとも、野地開口部４１の棟側に配置する捨水切６０ａと、野地開口部４１の軒側に配置する捨水切６０ｂとを有する。
捨水切６０は、野地板４０の上面に配置される捨水切取付板６１と、捨水切取付板６１の端部から立ち上げた捨水切立ち上げ板６２とを有する。
【００１４】
捨水切６０ａは、捨水切取付板６１を野地板４０と第１の化粧スレート５１との間に配置することで取り付ける（捨水切取付工程）。
屋根面換気ユニットは、第３後面板材１４ｃを第１の化粧スレート５１上に当接させて屋根面に載置する（ユニット載置工程）。
ユニット載置工程の後に、第３後面板材１４ｃ上に第２の化粧スレート５２を当接させて第２の化粧スレート５２を第１の化粧スレート５１上に載置する（第２化粧スレート載置工程）。
第２化粧スレート載置工程の後に、第３の化粧スレート５３の前端を第１後面板材１４ａに当接させ、第３の化粧スレート５３の前端と第２後面板材１４ｂとの間に空間を形成して第３の化粧スレート５３を第２の化粧スレート５２上に載置する（第３化粧スレート載置工程）。
【００１５】
図４は本実施例による屋根面換気ユニットの施工工程を示す写真である。
図４（ａ）は野地開口部への捨水切取付工程の後の状態を示す写真、図４（ｂ）は第３化粧スレート載置工程の後の状態を示す写真、図４（ｃ）は屋根面換気ユニットの施工後の状態を示す写真である。
まず、野地板４０に野地開口部４１を形成する（野地開口工程）。
野地開口工程の後に、捨水切６０を野地開口部４１の周囲に設ける（捨水切取付工程）。
捨水切取付工程の後に、第２化粧スレート載置工程及び第３化粧スレート載置工程によって第２の化粧スレート５２及び第３の化粧スレート５３を載置して屋根面換気ユニットの施工が完了する。
【００１６】
以上のように本実施例によれば、第３の化粧スレート５３の前端を第１後面板材１４ａに当接させることで、第３の化粧スレート５３の前端と第２後面板材１４ｂとの間に空間を形成するため、第３の化粧スレート５３前端から侵入する雨水は、第３の化粧スレート５３の下面に沿って上昇することなく、第１後面板材１４ａの下端に落下し、第２後面板材１４ｂに沿って側方へ流れるため、止水性に優れている。
また本実施例によれば、野地開口部４１の上方空間を確保できるため、換気性能が向上する。
また本実施例によれば、第３の化粧スレート５３によって上面板材１２と第３の化粧スレート５３との段差が小さくなり、屋根面換気ユニットと屋根面との一体感が高まり美観に優れる。
【産業上の利用可能性】
【００１７】
本発明は、特に屋根勾配が２．５寸以上の屋根面の建造物に適している。
【符号の説明】
【００１８】
１０  天面部材
１１  天面板用開口部
１２  上面板材
１３  前面板材
１４  後面板材
１４ａ  第１後面板材
１４ｂ  第２後面板材
１４ｃ  第３後面板材
１４ｄ  後面接続板材
１５  側面板材
１５ａ  接地面板
１５ｂ  側面板材本体
１５ｃ  上面取付板
１５ｄ  前面取付板
１５ｅ  後面取付板
１６  固定ビス
２０  止水箱
２１  止水底面板材
２２  止水前面板材
２３  止水後面板材
２３ｘ  止水箱用開口部
２４  止水側面板材
３０  垂木
４０  野地板
４１  野地開口部
５０  化粧スレート
５１  第１の化粧スレート
５２  第２の化粧スレート
５３  第３の化粧スレート
６０  捨水切
６０ａ  捨水切
６０ｂ  捨水切
６１  捨水切取付板
６２  捨水切立ち上げ板
【図１】
2019073950.tif 000003
【図２】
2019073950.tif 000004
【図３】
2019073950.tif 000005
【図４】
2019073950.tif 000006